(57)【要約】      （修正有）【課題】多重伝送システムでのクロック伝送を個別回線ごとに独立して実現する。【解決手段】多重伝送システム１は、各々データおよびクロックを含む回線ごとの信号ｓ１〜ｓｎを多重化して送信する多重送信装置１００と、多重化された信号を受信して回線ごとのデータに分離し、信号ｓ１〜ｓｎを再生して出力する分離受信装置２００と、を有する。多重送信装置１００は、信号ｓ１〜ｓｎの各クロックＬＣＬＫ１〜ＬＣＬＫｎを特定する情報２２と、信号ｓ１〜ｓｎの各データｄ１〜ｄｎと、を含む多重回線信号ＴＤＭＳを生成し、特定のクロックＲＥＦＣＬＫで分離受信装置２００に送信する。分離受信装置２００は、多重回線信号ＴＤＭＳからデータｄ１〜ｄｎおよび各クロックＬＣＬＫ１〜ＬＣＬＫｎを特定する情報２２を取得してクロックＬＣＬＫ１〜ＬＣＬＫｎを再生し、データｄ１〜ｄｎの各々を回線ごとのクロックＬＣＬＫ１〜ＬＣＬＫｎの各々で出力する。【選択図】図３
2016039396.tif 000002
【特許請求の範囲】
【請求項１】
各々データおよびクロックを含む回線ごとの信号を多重化して送信する多重送信装置と、前記多重送信装置によって多重化された信号を受信して前記回線ごとのデータに分離し、前記回線ごとの信号を再生して出力する分離受信装置と、を有する多重伝送システムであって、
前記多重送信装置は、前記回線ごとの信号の各クロックを特定する情報と、前記回線ごとの信号の各データと、を含む多重回線信号を生成し、生成した前記多重回線信号を特定のクロックで前記分離受信装置に送信し、
前記分離受信装置は、前記多重送信装置からの前記多重回線信号から前記回線ごとの信号の各データおよび各クロックを特定する情報を取得し、当該取得したクロックを特定する情報に基づいて前記回線ごとのクロックを再生し、前記回線ごとのデータの各々を前記回線ごとのクロックの各々で出力する、
ことを特徴とする多重伝送システム。
【請求項２】
前記多重送信装置は、
前記特定のクロックの位相と前記回線ごとの信号のクロックの位相とを比較して、位相差パルスを生成する位相比較部と、
前記位相比較部からの位相差パルスを時間デジタル変換して、前記回線ごとの位相差デジタル情報を生成する第１変換部と、
前記回線ごとの信号の各データを時分割多重化して多重データを生成する時分割多重化処理部と、
前記時分割多重化処理部によって生成された多重データと、前記クロックを特定する情報として前記第１変換部によって変換された前記回線ごとの位相差デジタル情報とを埋め込むことにより、前記多重回線信号を生成して、生成した前記多重回線信号を前記特定のクロックで前記分離受信装置に送信する埋込部と、を有し、
前記分離受信装置は、
前記多重回線信号を送信した前記特定のクロックを取得する多重データＣＤＲ部と、
前記多重回線信号を前記多重データと前記回線ごとの位相差デジタル情報とに分離する分離部と、
前記分離部によって分離された前記回線ごとの位相差デジタル情報をデジタル時間変換して、前記位相差パルスを再生する第２変換部と、
前記多重データＣＤＲ部から取得された前記特定のクロックと、前記第２変換部によって変換された前記位相差パルスと、に基づいて、前記回線ごとの信号のクロックを再生する位相調整部と、
前記多重データを分離して得られる前記回線ごとのデータの各々を、前記位相調整部によって得られた前記回線ごとのクロックの各々で出力する時分割分離化処理部と、を有することを特徴とする請求項１に記載の多重伝送システム。
【請求項３】
前記多重送信装置は、
前記特定のクロックの周波数をＭ分周（Ｍは２以上の整数）する第１Ｍ分周部と、
前記回線ごとの信号のクロックの周波数をＭ分周する第２Ｍ分周部と、
前記特定のクロックの周波数をＮ逓倍（Ｎは２以上の整数）する第１Ｎ逓倍部と、を有し、
前記位相比較部は、前記第１Ｍ分周部によってＭ分周された前記特定のクロックの位相と、前記第２Ｍ分周部によってＭ分周された前記回線ごとの信号のクロックの位相とを比較して、前記位相差パルスを生成し、
第１変換部は、前記第１Ｎ逓倍部によってＮ逓倍された前記特定のクロックを用いて、前記位相比較部からの位相差パルスを時間デジタル変換して、回線ごとの位相差デジタル情報を生成し、
前記分離受信装置は、
前記多重データＣＤＲ部によって分離された前記特定のクロックの周波数をＮ逓倍する第２Ｎ逓倍部と、
前記多重データＣＤＲ部によって分離された前記特定のクロックの周波数をＭ分周する第３Ｍ分周部と、
前記位相調整部によって再生された前記回線ごとの信号のクロックの周波数をＭ逓倍するＭ逓倍部と、を有し、
前記第２変換部は、
前記第２Ｎ逓倍部によってＮ逓倍された前記特定のクロックを用いて、前記分離部によって分離された前記回線ごとの位相差デジタル情報をデジタル時間変換して、前記位相差パルスを再生し、
前記第３Ｍ分周部によってＭ分周された前記特定のクロックと、前記第２変換部によって変換された前記位相差パルスと、に基づいて、前記回線ごとの信号のクロックを再生し、
前記時分割分離化処理部は、
前記多重データを分離して得られる前記回線ごとのデータの各々を、前記Ｍ逓倍部によってＭ逓倍された前記回線ごとのクロックの各々で出力する、
ことを特徴とする請求項２に記載の多重伝送システム。
【請求項４】
前記多重送信装置は、
前記回線ごとの信号のクロックのうちクロック周波数が最大のクロックを前記特定のクロックとして選択するクロック選択部を有し、
前記第１Ｍ分周部は、前記特定のクロックの周波数をＭ分周し、
前記第１Ｎ逓倍部は、前記特定のクロックの周波数をＮ逓倍する、
ことを特徴とする請求項３に記載の多重伝送システム。
【請求項５】
前記多重送信装置は、
前記回線ごとの信号が同一クロックでグループ化された各グループのクロックを特定する情報と、前記回線ごとの信号の各データと、を含む多重回線信号を生成し、生成した前記多重回線信号を前記特定のクロックで前記分離受信装置に送信し、
前記分離受信装置は、
前記多重送信装置からの前記多重回線信号から前記回線ごとの信号の各データおよび前記各グループの各クロックを特定する情報を取得し、当該取得したクロックを特定する情報に基づいてグループごとのクロックを再生し、前記グループのデータ群の各々を前記グループのクロックの各々で出力する、
ことを特徴とする請求項１に記載の多重伝送システム。
【請求項６】
前記多重送信装置は、
前記特定のクロックの位相と前記グループのクロックの位相とを比較して、位相差パルスを生成する位相比較部と、
前記位相比較部からの位相差パルスを時間デジタル変換して、前記グループごとの位相差デジタル情報を生成する第１変換部と、
前記回線ごとの信号の各データを時分割多重化して多重データを生成する時分割多重化処理部と、
前記時分割多重化処理部によって生成された多重データと、前記クロックを特定する情報として前記第１変換部によって変換された前記グループごとの位相差デジタル情報とを埋め込むことにより、前記多重回線信号を生成して、生成した前記多重回線信号を特定のクロックで前記分離受信装置に送信する埋込部と、を有し、
前記分離受信装置は、
前記多重回線信号を伝送した前記特定のクロックを取得する多重データＣＤＲ部と、
前記多重回線信号を前記多重データと前記グループごとの位相差デジタル情報とに分離する分離部と、
前記分離部によって分離された前記グループごとの位相差デジタル情報をデジタル時間変換して、前記位相差パルスを再生する第２変換部と、
前記多重データＣＤＲ部から取得された前記特定のクロックと、前記第２変換部によって変換された前記位相差パルスと、に基づいて、前記グループのクロックを再生する位相調整部と、
前記多重データを分離して得られる前記グループのデータ群の各々を、前記位相調整部によって得られた前記グループのクロックの各々で出力する時分割分離化処理部と、を有することを特徴とする請求項５に記載の多重伝送システム。
【請求項７】
前記多重送信装置は、
前記特定のクロックの周波数をＭ分周（Ｍは２以上の整数）する第１Ｍ分周部と、
前記グループのクロックの周波数をＭ分周する第２Ｍ分周部と、
前記特定のクロックの周波数をＮ逓倍（Ｎは２以上の整数）する第１Ｎ逓倍部と、を有し、
前記位相比較部は、前記第１Ｍ分周部によってＭ分周された前記特定のクロックの位相と、前記第２Ｍ分周部によってＭ分周された前記グループのクロックの位相とを比較して、前記位相差パルスを生成し、
第１変換部は、前記第１Ｎ逓倍部によってＮ逓倍された前記特定のクロックを用いて、前記位相比較部からの位相差パルスを時間デジタル変換して、グループごとの位相差デジタル情報を生成し、
前記分離受信装置は、
前記多重データＣＤＲ部から取得された前記特定のクロックの周波数をＮ逓倍する第２Ｎ逓倍部と、
前記多重データＣＤＲ部から取得された前記特定のクロックの周波数をＭ分周する第３Ｍ分周部と、
前記位相調整部によって再生された前記グループのクロックの周波数をＭ逓倍するＭ逓倍部と、を有し、
前記第２変換部は、前記第２Ｎ逓倍部によってＮ逓倍された前記特定のクロックを用いて、前記分離部によって分離された前記グループごとの位相差デジタル情報をデジタル時間変換して、前記位相差パルスを再生し、
前記第３Ｍ分周部によってＭ分周された前記特定のクロックと、前記第２変換部によって変換された前記位相差パルスと、に基づいて、前記グループのクロックを再生し、
前記時分割分離化処理部は、
前記多重データを分離して得られる前記グループのデータ群の各々を、前記Ｍ逓倍部によってＭ逓倍された前記グループのクロックの各々で出力する、
ことを特徴とする請求項６に記載の多重伝送システム。
【請求項８】
各々データおよびクロックを含む回線ごとの信号を多重化して送信する多重送信装置であって、
特定のクロックの位相と前記回線ごとの信号のクロックの位相とを比較して、位相差パルスを生成する位相比較部と、
前記位相比較部からの位相差パルスを時間デジタル変換して、前記回線ごとの位相差デジタル情報を生成する変換部と、
前記回線ごとの信号の各データを時分割多重化して多重データを生成する時分割多重化処理部と、
前記時分割多重化処理部によって生成された多重データと、前記クロックを特定する情報として前記変換部によって変換された前記回線ごとの位相差デジタル情報とを埋め込むことにより、前記多重回線信号を生成して、生成した前記多重回線信号を前記特定のクロックで送信する埋込部と、
を有することを特徴とする多重送信装置。
【請求項９】
各々データおよびクロックを含む回線ごとの信号を多重化して多重回線信号を送信する多重送信装置から、前記多重回線信号を受信して前記回線ごとのデータに分離し、前記回線ごとの信号を再生して出力する分離受信装置であって、
前記多重回線信号を送信した特定のクロックを取得する多重データＣＤＲ部と、
前記多重回線信号を、前記多重送信装置において多重化された多重データと、前記多重送信装置において前記特定のクロックの位相と前記回線ごとの信号のクロックの位相との比較から得られた位相差パルスを時間デジタル変換した前記回線ごとの位相差デジタル情報と、に分離する分離部と、
前記分離部によって分離された前記回線ごとの位相差デジタル情報をデジタル時間変換して、前記位相差パルスを再生する変換部と、
前記多重データＣＤＲ部から取得された前記特定のクロックと、前記変換部によって変換された前記位相差パルスと、に基づいて、前記回線ごとの信号のクロックを再生する位相調整部と、
前記多重データを分離して得られる前記回線ごとのデータの各々を、前記位相調整部によって得られた前記回線ごとのクロックの各々で出力する時分割分離化処理部と、
を有することを特徴とする分離受信装置。
【発明の詳細な説明】
【技術分野】
【０００１】
本発明は、多重化された信号を伝送する多重伝送システム、回線ごとの信号を多重化して送信する多重送信装置、および、多重化された信号を受信して回線ごとの信号に分離する分離受信装置に関する。
【背景技術】
【０００２】
一般的に伝送回線は、伝送対象のデータを伝送に適した形態で送信する送信装置と、送信装置から送信された信号を受信し、元のデータを再生する受信装置と、送信装置および受信装置を繋ぐ伝送媒体と、により構成される。また、データ送信に際して、送信装置で伝送対象のデータに併せてクロックも送信し、受信装置でデータおよびクロック（以降、「個別回線信号」と称する）の双方を再生することで、伝送回線での個別回線信号の伝送を可能とする方式がある。加えて、この伝送回線を複数用いることで、複数の個別回線信号の伝送が可能となる。
【０００３】
上述の様な複数の個別回線信号の伝送では、複数の伝送媒体が必要となるため、伝送媒体の増加に伴う設備空間の逼迫および伝送媒体の敷設コストの増大などが問題となる。このため、複数の個別回線信号を時分割多重形態で、単一の伝送媒体を介して、伝送を行う多重伝送システムがある。この多重伝送システムにより、複数の個別回線信号を単一の伝送媒体で伝送する。
【０００４】
一般的に多重伝送システムは、多重送信装置と、分離受信装置と、多重送信装置および分離受信装置を繋ぐ伝送媒体と、により構成される。多重送信装置は、規格上同一であるが数百ｐｐｍ（ｐａｒｔｓ  ｐｅｒ  ｍｉｌｌｉｏｎ）の差異をもつ可能性のあるデータ伝送速度を有する複数の個別回線信号を入力する。多重送信装置は、入力された複数の個別回線信号のデータを、複数の個別回線信号のデータ伝送速度の総和より高いデータ伝送速度である信号（以降、「多重回線信号」と称する）に時分割多重する。そして、多重送信装置は、多重回線信号用の単一のクロックに多重回線信号のデータを乗せ換えて伝送媒体に出力する。
【０００５】
分離受信装置は、伝送媒体からの多重回線信号を入力する。分離受信装置は、入力された多重回線信号を時分割分離し、分離された複数の個別回線信号のデータを再生する。そして、分離受信装置は、多重回線信号から再生されたクロック（以降、「多重回線抽出クロック」と称する）に、再生された複数の個別回線信号のデータを乗せ換えて出力する。多重回線抽出クロックは、多重送信装置における多重回線信号用の単一のクロックと同一である。
【０００６】
また、クロック信号を伝送するネットワークセグメントの送信機および受信機を複雑にせずに既知の周波数の入来クロック信号を透過的に伝送する方法および装置が開示されている（たとえば、下記特許文献１を参照。）。
【０００７】
ネットワークセグメントは、入来クロック信号が入力され送信機クロックにより送信クロック信号が与えられる送信装置と、伝送媒体と、受信機クロックにより送信機クロックと同期した受信クロック信号が与えられる受信装置とで構成される。ネットワークセグメントは、入来クロック信号と送信クロック信号から得られた基準信号との位相差値を測定し、送信装置から受信装置へ位相差値を送信し、既知の周波数と等しい周波数で位相差値と等しい位相差を有する出力クロック信号を受信装置において発生させる。
【先行技術文献】
【特許文献】
【０００８】
【特許文献１】特開平１０−２３３７６７号公報
【発明の概要】
【発明が解決しようとする課題】
【０００９】
しかしながら、上述した多重送信装置は、多重回線信号用の単一のクロックに多重回線信号のデータを乗せ換えて伝送媒体に出力するため、多重化される個別回線信号ごとに個別回線信号を当該個別回線信号に固有のクロックに乗せ換えて出力することができない。
【００１０】
同様に、分離受信装置は、多重回線抽出クロックに、再生された複数の個別回線信号のデータを乗せ換えて出力するため、再生された個別回線信号ごとに個別回線信号を当該個別回線信号に固有のクロックに乗せ換えて出力することができない。
【００１１】
このように、上述した多重伝送装置では、データに併せてクロックの伝送も必要とする場合において、多重送信装置での時分割多重前の個別回線信号と分離受信装置での時分割分離後の個別回線信号との間のクロック伝送を、個別回線毎に独立して行うことができないという問題がある。
【００１２】
本発明は、多重伝送システムにおけるデータのクロック伝送を個別回線ごとに独立して実現することを目的とする。
【課題を解決するための手段】
【００１３】
本願において開示される発明の一側面となる多重伝送システムは、各々データおよびクロックを含む回線ごとの信号を多重化して送信する多重送信装置と、前記多重送信装置によって多重化された信号を受信して前記回線ごとのデータに分離し、前記回線ごとの信号を再生して出力する分離受信装置とを有する。多重送信装置は、前記回線ごとの信号の各クロックを特定する情報と、前記回線ごとの信号の各データと、を含む多重回線信号を生成し、生成した前記多重回線信号を特定のクロックで前記分離受信装置に送信する。分離受信装置は、前記多重送信装置からの前記多重回線信号から前記回線ごとの信号の各データおよび各クロックを特定する情報を取得し、当該取得したクロックを特定する情報に基づいて前記回線ごとのクロックを再生し、前記回線ごとのデータの各々を前記回線ごとのクロックの各々で出力する。
【発明の効果】
【００１４】
本発明の代表的な実施の形態によれば、多重化信号のクロック伝送を個別回線ごとに独立して実現することができる。前述した以外の課題、構成及び効果は、以下の実施例の説明により明らかにされる。
【図面の簡単な説明】
【００１５】
【図１】実施例１にかかる多重伝送システムのシステム構成例を示す説明図である。
【図２】多重送信装置から分離受信装置に伝送される多重回線信号のデータ構造例を示す説明図である。
【図３】実施例１にかかる多重伝送システムのブロック構成例を示すブロック図である。
【図４】実施例１にかかる多重伝送システムにおけるクロック伝送を示すタイミングチャートである。
【図５】第１変換部での位相差パルスの時間デジタル変換の一例を示す説明図である。
【図６】第２変換部での位相差パルスのデジタル時間変換の一例を示す説明図である。
【図７】位相差デジタル情報の量子化誤差を示す説明図である。
【図８】量子化誤差と位相差誤差の関係の一例を示すグラフである。
【図９】量子化誤差と周波数差誤差の関係の一例を示すグラフである。
【図１０】実施例２にかかる多重伝送システムのシステム構成例を示す説明図である。
【図１１】実施例２にかかる多重送信装置内のクロック選択部を示す説明図である。
【図１２】実施例２にかかる多重伝送システムにおけるクロック伝送を示すタイミングチャートである。
【図１３】実施例３、４にかかる多重伝送システムのシステム構成例を示す説明図１である。
【図１４】実施例３にかかる多重伝送システムのシステム構成例を示す説明図２である。
【図１５】実施例４にかかる多重伝送システムのシステム構成例を示す説明図２である。
【発明を実施するための形態】
【実施例１】
【００１６】
実施例１にかかる多重伝送システム、多重送信装置、および、分離受信装置について説明する。多重伝送システムでは、多重送信装置が回線ごとの信号を多重化し、多重化信号として送信する際に、回線ごとの信号に含まれるデータのクロックに関する情報を多重化信号に埋め込み、特定のクロックに乗せ換えて多重化信号を分離受信装置に送信する。
【００１７】
分離受信装置は、多重化信号を受信して回線ごとのデータに分離するとともに、当該回線ごとのデータのクロックに関する情報を多重化信号から取得する。これにより、分離受信装置は、回線ごとのデータを対応するクロックに乗せ換えて出力する。これにより、多重送信装置における多重化前の回線ごとの信号を、分離受信装置で再現することができる。したがって、多重化信号のクロック伝送を個別回線ごとに独立して実現することができる。
【００１８】
＜システム構成例＞
図１は、実施例１にかかる多重伝送システムのシステム構成例を示す説明図である。多重伝送システム１は、複数（ｎ個、ｎは２以上の整数）の送信装置Ｔ１〜Ｔｎと、多重送信装置１００と、分離受信装置２００と、複数（ｎ個）の送信装置Ｒ１〜Ｒｎと、多重送信装置１００と分離受信装置２００とを接続する伝送媒体１０と、を有する。なお、送信元ネットワークＳＮＷｉ（ｉは１＜ｉ≦ｎとなる整数）に接続される送信装置Ｔｉから、多重送信装置１００、伝送媒体１０、および分離受信装置２００を経由して、宛先ネットワークＤＮＷｉに接続される受信装置Ｒｉに至る経路を、「個別回線」と称す。したがって、ｎは回線数を示す。また、個別回線を伝送する信号を「個別回線信号」と称す。
【００１９】
複数の送信装置Ｔ１〜Ｔｎの各々の送信装置Ｔｉは、複数の送信元ネットワークＳＮＷ１〜ＳＮＷｎの対応する送信元ネットワークＳＮＷｉに接続され、かつ、多重送信装置１００に接続される。送信装置Ｔｉは、送信元ネットワークＳＮＷｉからの個別回線信号ｓｉを多重送信装置１００に送信する。
【００２０】
多重送信装置１００は、送信装置Ｔｉからの個別回線信号を受信する。多重送信装置１００は、受信した送信装置Ｔ１〜Ｔｎからの複数の個別回線信号ｓ１〜ｓｎを時分割多重し、多重回線信号ＴＤＭＳとして伝送媒体１０に出力する。
【００２１】
分離受信装置２００は、多重送信装置１００で時分割多重された多重回線信号ＴＤＭＳを伝送媒体１０から受信して、個別回線信号ｓ１〜ｓｎのデータおよびクロックに分離する。分離受信装置２００は、分離された各個別回線信号ｓ１〜ｓｎのデータを対応するクロックで対応する受信装置Ｒｉに送信する。受信装置Ｒｉは、受信した個別回線信号ｓ１〜ｓｎを、対応する宛先ネットワークＤＮＷｉに送信する。これにより、多重送信装置１００による時分割多重前の各個別回線信号ｓ１〜ｓｎと、分離受信装置２００による時分割分離後の各個別回線信号ｓ１〜ｓｎと間のクロック伝送を、個別回線毎に独立して実現することができる。
【００２２】
＜伝送データ構成例＞
図２は、多重送信装置１００から分離受信装置２００に伝送される多重回線信号ＴＤＭＳのデータ構造例を示す説明図である。多重回線信号ＴＤＭＳは、多重データｍｄとクロック情報２０とを有する。多重データｍｄは、個別回線信号ｓ１〜ｓｎの各々に含まれているデータの集合である。クロック情報２０は、個別回線信号ｓ１〜ｓｎの各々に含まれているクロックを特定する情報である。本実施例では、クロック情報２０として、個別回線信号ｓ１〜ｓｎの各々に含まれているクロックと多重送信装置１００内の特定のクロック（後述する多重回線信号送信クロックＲＥＦＣＬＫ）との位相差のデジタル値（以降、位相差デジタル情報２０−１〜２０−ｎと称す）が採用される。
【００２３】
＜装置構成例＞
図３は、実施例１にかかる多重伝送システム１のブロック構成例を示すブロック図である。多重送信装置は、ｎ個のＣＤＲ（Ｃｌｏｃｋ  Ｄａｔａ  Ｒｅｃｏｖｅｒｙ）部１０１−１〜１０１−ｎと、時分割多重化処理部１０２と、ｎ個の位相比較部１０３-１〜１０３−ｎと、ｎ個の第１変換部１０４-１〜１０４−ｎと、埋込部１０５と、を有する。
【００２４】
ＣＤＲ部１０１−ｉは、入力されてくる個別回線信号ｓｉから、当該個別回線信号ｓｉに含まれているデータｄｉと当該個別回線信号ｓｉを伝送したクロックとを抽出する。抽出されたクロックを、個別回線抽出クロックＬＣＬＫｉと称す。ＣＤＲ部１０１−ｉは、抽出したデータｄｉおよび個別回線抽出クロックＬＣＬＫｉを時分割多重化処理部１０２に出力する。また、ＣＤＲ部１０１−ｉは、抽出した個別回線抽出クロックＬＣＬＫｉを位相比較部１０３−ｉに出力する。
【００２５】
時分割多重化処理部１０２は、各ＣＤＲ部１０１−ｉからのデータｄｉを受信して時分割多重し、多重データｍｄにする。時分割多重化処理部１０２は、多重データｍｄを埋込部１０３に出力する。
【００２６】
位相比較部１０３−ｉは、多重回線信号送信クロックＲＥＦＣＬＫと個別回線抽出クロックＬＣＬＫｉとの位相差を位相差パルスＰｉとして第１変換部１０４−ｉに出力する。多重回線信号送信クロックＲＥＦＣＬＫは、多重回線信号ＴＤＭＳの送信クロックであり、たとえば、多重送信装置１００内の図示しない水晶発振器からのクロックや多重送信装置１００外からの外部入力クロックに同期したクロックである。また、位相差パルスＰｉは、多重回線信号送信クロックＲＥＦＣＬＫを基準として、個別回線抽出クロックＬＣＬＫｉがどれだけ位相がずれているかに比例して位相差パルス幅が増減するパルスである。
【００２７】
第１変換部１０４−ｉは、サンプリングクロックＡＤＣＬＫを用いて、位相比較部１０３−ｉからの位相差パルスＰｉのパルス幅を位相差デジタル情報２０−ｉに変換して、埋込部１０５に出力する。サンプリングクロックＡＤＣＬＫは、多重送信装置１００内の図示しない水晶発振器からのクロックや多重送信装置１００外からの外部入力クロックに同期したクロックである。
【００２８】
埋込部１０５は、位相比較部１０３−１〜１０３−ｎからの個別回線数ｎ分の位相差デジタル情報２０−１〜２０−ｎを多重データｍｄを含む多重回線信号ＴＤＭＳに埋め込み、多重回線信号ＴＤＭＳを多重回線信号送信クロックＲＥＦＣＬＫで分離受信装置２００に伝送する。
【００２９】
すなわち、個別回線信号ｓ１〜ｓｎの時分割多重の際に、多重回線信号ＴＤＭＳには、各個別回線信号ｓｉが持つクロック（個別回線抽出クロックＬＣＬＫ１〜ＬＣＬＫｎ）がデジタル情報として埋め込まれる。そして、多重回線信号ＴＤＭＳを多重回線信号送信クロックＲＥＦＣＬＫに乗せ換えることで、多重送信装置１００は、一時的に元々の個別回線信号ｓｉが持つクロック（個別回線抽出クロックＬＣＬＫｉ）とは異なるクロック（多重回線信号送信クロックＲＥＦＣＬＫ）で多重回線信号ＴＤＭＳを伝送媒体１６に伝送することになる。
【００３０】
分離受信装置２００は、多重データＣＤＲ部２０１と、分離部２０２と、ｎ個の第２変換部２０３−１〜２０３−ｎと、ｎ個の位相調整部２０４−１〜２０４−ｎと、時分割分離化処理部２０５と、を有する。
【００３１】
多重データＣＤＲ部２０１は、伝送媒体１６を介して多重送信装置１００から伝送されてくる多重回線信号ＴＤＭＳから、当該多重回線信号ＴＤＭＳに含まれているデータ（多重データｍｄおよびクロック情報２０）を抽出する。また、多重データＣＤＲ部２０１は、多重回線信号ＴＤＭＳから、当該多重回線信号ＴＤＭＳを伝送したクロックを抽出する。抽出されたクロックを、多重回線抽出クロックＴＤＭＬＣＬＫと称す。
【００３２】
多重送信装置１００の多重回線信号送信クロックＲＥＦＣＬＫは、多重回線信号ＴＤＭＳを伝送したクロックである。したがって、多重回線抽出クロックＴＤＭＬＣＬＫと多重送信装置１００の多重回線信号送信クロックＲＥＦＣＬＫとは、同一クロックである。多重データＣＤＲ部２０１は、抽出した多重回線抽出クロックＴＤＭＬＣＬＫを分離部２０２と時分割分離化処理部２０５とに出力する。また、多重データＣＤＲ部２０１は、抽出したデータ（多重データｍｄおよびクロック情報２０）を分離部２０２に出力する。
【００３３】
分離部２０２は、多重データＣＤＲ部２０１からのデータ（多重データｍｄおよびクロック情報２０）を、多重データｍｄとクロック情報２０とに分離する。クロック情報２０は、上述したように、個別回線数ｎ分の位相差デジタル情報２０−１〜２０−ｎの集合である。分離部２０２は、位相差デジタル情報２０−ｉを対応する第２変換部２０３−ｉに出力する。
【００３４】
第２変換部２０３−ｉは、再生用クロックＤＡＣＬＫを参照して、位相差デジタル情報２０−ｉを位相差パルスＱｉに変換する。第２変換部２０３−ｉは、第１変換部１０４−ｉとは逆の変換をする。変換された位相差パルスＱｉは、多重送信装置１００の位相比較部１０３−ｉから出力された位相差パルスＰｉと同一パルスとなる。また、再生用クロックＤＡＣＬＫは、たとえば、分離受信装置２００内の図示しない水晶発振器からのクロックや分離受信装置２００外からの外部入力クロックに同期したクロックである。第２変換部２０３−ｉは、変換した位相差パルスＱｉを、対応する位相調整部２０４−ｉに出力する。
【００３５】
位相調整部２０４−ｉは、第２変換部２０３−ｉからの位相差パルスＱｉにより多重回線抽出クロックＴＤＭＬＣＬＫの位相を調整する。具体的には、たとえば、位相調整部２０４−ｉは、多重回線抽出クロックＴＤＭＬＣＬＫの位相を第２変換部２０３−ｉからの位相差パルスＱｉ分シフトすることにより、再生個別回線抽出クロックＲＣＬＫｉを生成する。再生個別回線抽出クロックＲＣＬＫｉは、元の個別回線信号ｓｉの個別回線抽出クロックＬＣＬＫｉであると同一クロックとなる。したがって、位相調整部２０４−ｉは、元の個別回線信号ｓｉの個別回線抽出クロックＬＣＬＫｉを再生することになる。位相調整部２０４−ｉは、再生個別回線抽出クロックＲＣＬＫｉを時分割分離化処理部２０５に出力する。
【００３６】
時分割分離化処理部２０５は、分離部２０２からの多重データｍｄを回線ごとのデータｄ１〜ｄｎに分離する。時分割分離化処理部２０５は、分離した各データｄ１〜ｄｎを、対応する位相調整部２０４−ｉからの再生個別回線抽出クロックＲＣＬＫｉに乗せ換えて、個別回線信号ｓｉとして宛先ネットワークＤＮＷｉに送信する。これにより、多重送信装置１００における多重化前の回線ごとの個別回線信号ｓｉを、分離受信装置２００で再現することができる。
【００３７】
＜多重伝送システム１におけるクロック伝送のタイミングチャート＞
図４は、実施例１にかかる多重伝送システム１におけるクロック伝送を示すタイミングチャートである。図４において、上段が多重送信装置１００におけるタイミングチャートであり、下段が分離受信装置２００におけるタイミングチャートである。
【００３８】
図４の上段において、位相比較部１０３−ｉは、多重回線信号送信クロックＲＥＦＣＬＫと個別回線抽出クロックＬＣＬＫｉとの位相差を位相差パルスＰｉとして第１変換部１０４−ｉに出力する。具体的には、たとえば、位相比較部１０３−ｉは、多重回線信号送信クロックＲＥＦＣＬＫと個別回線抽出クロックＬＣＬＫｉとの排他的論理和をとることで、位相差パルスＰｉを第１変換部１０４−ｉに出力する。
【００３９】
図４の下段において、位相調整部２０４−ｉは、第２変換部２０３−ｉからの位相差パルスＱｉにより多重回線抽出クロックＴＤＭＬＣＬＫの位相を調整する。具体的には、たとえば、位相調整部２０４−ｉは、多重回線抽出クロックＴＤＭＬＣＬＫと第２変換部２０３−ｉからの位相差パルスＱｉとの排他的論理和をとることにより、再生個別回線抽出クロックＲＣＬＫｉを生成する。
【００４０】
こののように、位相差パルスＱｉのパルス幅期間分、多重回線抽出クロックＴＤＭＬＣＬＫの立ち上がりエッジ、および立下りエッジをずらすことで、元の個別回線抽出クロックＬＣＬＫｉを再生個別回線抽出クロックＲＣＬＫｉとして再生する。なお、個別回線抽出クロックＬＣＬＫｉの再生は各個別回線で独立して並列実行することができる。
【００４１】
これにより、元々の個別回線信号ｓｉが持つ個別回線抽出クロックＬＣＬＫｉとは異なるクロックである多重回線信号送信クロックＲＥＦＣＬＫで多重回線信号ＴＤＭＳを伝送することができる。また、多重回線信号ＴＤＭＳの時分割分離後、複数の個別回線信号ｓ１〜ｓｎが持つ個別回線抽出クロックＬＣＬＫ１〜ＬＣＬＫｎを上述の動作により再生し、複数の個別回線信号ｓ１〜ｓｎのデータｄ１〜ｄｎを載せ換えることで、元の複数の個別回線信号ｓｉのデータｄｉと再生個別回線抽出クロックＲＣＬＫｉとを併せて、分離受信装置２００から出力することができる。
【００４２】
図５は、第１変換部１０４−ｉでの位相差パルスＰｉの時間デジタル変換の一例を示す説明図である。第１変換部１０４−ｉは、位相差パルスＰｉがイネーブル状態である場合におけるＡＤＣＬＫのパルス数を出力する。すなわち、第１変換部１０４−ｉは、位相差パルスＰｉのパルス幅を、サンプリングクロックＡＤＣＬＫを用いて、位相差パルスＰｉのパルス幅期間、立ち上がりエッジ、または立下りエッジのいずれかでカウントし、そのカウント値を位相差デジタル情報２０−ｉとして出力する。
【００４３】
図６は、第２変換部２０３−ｉでの位相差パルスＱｉのデジタル時間変換の一例を示す説明図である。第２変換部２０３−ｉは、再生用クロックＤＡＣＬＫがイネーブル状態である場合において、分離部２０２から出力された位相差デジタル情報２０−ｉである。具体的には、たとえば、第２変換部２０３−ｉは、位相差デジタル情報２０−ｉ、つまりカウント値分、再生用クロックＤＡＣＬＫを用いてタイマを動作させることで、位相差デジタル情報２０−ｉに応じたパルス幅となる位相差パルスＱｉを出力する。なお、ここで用いる再生用クロックＤＡＣＬＫは多重送信装置１００におけるサンプリングクロックＡＤＣＬＫと同等の周波数とする。
【００４４】
このように、実施例１によれば、多重送信装置１００による時分割多重前の各個別回線信号ｓ１〜ｓｎと、分離受信装置２００による時分割分離後の各個別回線信号ｓ１〜ｓｎと間のクロック伝送を、個別回線毎に独立して実現することができる。すなわち、従来のように、各個別回線信号ｓ１〜ｓｎが多重回線抽出クロックＴＤＭＬＣＬＫに乗せ換えて伝送されない。これにより、時分割分離化した場合のデータ伝送の再現性の向上を図ることができる。
【実施例２】
【００４５】
実施例２は、実施例１において発生する位相差デジタル情報の量子化誤差を抑制する例である。なお、実施例１と同一内容には同一符号を付し、その説明を省略する。実施例１では、クロック伝送を個別回線毎に独立して実現可能であるが、個別回線毎のクロック伝送において生じる量子化誤差により、多重送信装置１００による時分割多重前の各個別回線信号ｓ１〜ｓｎと、分離受信装置２００による時分割分離後の各個別回線信号ｓ１〜ｓｎとの間で、クロック周波数誤差が発生する。以下、当該クロック周波数誤差について述べる。
【００４６】
図７は、位相差デジタル情報の量子化誤差を示す説明図である。図７は、図５の位相差パルスＰｉの時間デジタル変換における量子化誤差例を示す。（Ａ）は、量子化誤差が発生しない例であり、（Ｂ）は、量子化誤差が発生した例である。
【００４７】
（Ａ）では、位相差パルスＰｉの立さ下がりのタイミングとサンプリングクロックＡＤＣＬＫの立ち上がりのタイミングが一致するため、量子化誤差が発生しない。すなわち、位相差パルスＰｉをサンプリングクロックＡＤＣＬＫによって時間デジタル変換する場合、位相差パルスＰｉのパルス幅がサンプリングクロックＡＤＣＬＫ周期の整数倍となる限りは量子化誤差が発生しない。
【００４８】
これに対し、（Ｂ）では、位相差パルスＰｉの立さ下がりのタイミングとサンプリングクロックＡＤＣＬＫの立ち上がりのタイミングが一致しないため、量子化誤差が発生する。実際には、このように、位相差パルスＰｉのパルス幅はサンプリングクロックＡＤＣＬＫ周期の非整数倍となる可能性が高くその際に量子化誤差として最大±（サンプリングクロックＡＤＣＬＫの周期）／２が発生する。なお、図示はしないが、第２変換部２０３−ｉによるデジタル時間変換においても、（Ａ）および（Ｂ）と同じ状態が発生する。
【００４９】
図８は、量子化誤差と位相差誤差の関係の一例を示すグラフである。図８のグラフにおいて、縦軸は個別回線抽出クロックＬＣＬＫｉと多重回線信号送信クロックＲＥＦＣＬＫとの位相差Δθ（ｔ）［ｄｅｇ．］であり、横軸は時刻ｔ［ｓｅｃ］を示す時間軸である。Δθ０は、個別回線抽出クロックＬＣＬＫｉと多重回線信号送信クロックＲＥＦＣＬＫとの位相差（理想値）であり、図７の直線ＩＶに相当する。また、Ｔｌｃｋ＿ｍａｘは、個別回線抽出クロックＬＣＬＫ１〜ＬＣＬＫｎのうちクロック周波数が最大である個別回線抽出クロックＬＣＬＫｉの周期である。Ｔａｄｃｌｋは、サンプリングクロックＡＤＣＬＫのサンプリングクロック周期である。また、α（位相領域）は、位相差Δθ（ｔ）と理想値である直線ＩＶとの最大量子化誤差である。
【００５０】
位相比較部１０３−ｉに入力される２つのクロックＬＣＬＫｉ，ＲＥＦＣＬＫに周波数差がある場合、位相差Δθ（ｔ）は時間の経過とともに増加する様に遷移する。図８の破線は、位相差Δθ（ｔ）の理想値である直線ＩＶに対する最大量子化誤差αによる位相差Δθ（ｔ）の最大誤差範囲を示す。位相差Δθ（ｔ）の理想値の時間的遷移を分離受信装置２００に転送することが理想的である。
【００５１】
この最大量子化誤差αは、下記式（１）により表現される。
【００５２】
【数１】
2016039396.tif 000003
【００５３】
上記式（１）を位相３６０［ｄｅｇｒｅｅ］に対する最大量子化誤差αの比で表現すると、下記式（２）となる。
【００５４】
【数２】
2016039396.tif 000004
【００５５】
また、上記式（２）から、ｐｐｍ（ｐａｒｔｓ  ｐｅｒ  ｍｉｌｌｉｏｎ）単位で変換すると下記式（３）となる。
【００５６】
【数３】
2016039396.tif 000005
【００５７】
位相差Δθ（ｔ）の理想値の時間的遷移を分離受信装置２００に転送することが理想的であるが、当該位相差Δθ（ｔ）を第１変換部１０４−ｉにて変換する際に、上記式（３）の最大量子化誤差αが発生するため、図８の破線の範囲の最大量子化誤差αを内包した位相差Δθ（ｔ）の時間的遷移が、分離受信装置２００に転送されることになる。
【００５８】
図９は、量子化誤差と周波数差誤差の関係の一例を示すグラフである。図９は、図８の縦軸を周波数軸に変換した例である。図９のグラフにおいて、縦軸は個別回線抽出クロックＬＣＬＫｉと多重回線信号送信クロックＲＥＦＣＬＫとの周波数差Δｆ（ｔ）［Ｈｚ］であり、横軸は時刻ｔ［ｓｅｃ］を示す時間軸である。Δｆ０は、個別回線抽出クロックＬＣＬＫｉと多重回線信号送信クロックＲＥＦＣＬＫとの周波数差（理想値）であり、図８の直線ｉｖに相当する。β（周波数領域）は、周波数差Δｆ（ｔ）と理想値である直線ｉｖとの最大量子化誤差となるクロック周波数誤差である。量子化誤差による位相差誤差は、周波数領域では図９の破線の範囲のクロック周波数誤差βとして現れる。クロック周波数誤差βをｐｐｍ単位で表現すると、下記式（４）となる。
【００５９】
【数４】
2016039396.tif 000006
【００６０】
式（４）は、多重送信装置１００による時分割多重前の各個別回線信号ｓ１〜ｓｎと分離受信装置２００による時分割分離後の各個別回線信号ｓ１〜ｓｎとの間の量子化誤差による周波数誤差が、周期Ｔｌｃｋ＿ｍａｘに依存することを示す。すなわち、多重伝送システム１の外部要因である個別回線抽出クロックＬＣＬＫｉの周期に依存して、クロック周波数誤差βが変動することを意味する。
【００６１】
実施例１では、複数の個別回線信号ｓ１〜ｓｎを時分割多重形態で、単一の伝送媒体１６を介して、送受信を行う多重伝送システム１に関して、多重送信装置１００による時分割多重前の各個別回線信号ｓ１〜ｓｎと分離受信装置２００による時分割分離後の各個別回線信号ｓ１〜ｓｎとの間のクロック伝送を個別回線毎に独立して実現した。実施例２では、これにとどまらず、当該個別回線毎のクロック伝送において生じる量子化誤差による、時分割多重前の各個別回線信号ｓ１〜ｓｎと時分割分離後の各個別回線信号ｓ１〜ｓｎとの間のクロック周波数誤差βが、外部要因に依存することなく任意の誤差量に低減される。
【００６２】
＜システム構成例＞
図１０は、実施例２にかかる多重伝送システム１のシステム構成例を示す説明図である。多重送信装置１００は、第１Ｍ分周部１０６と、ｎ個の第２Ｍ分周部１０７−１〜１０７−ｎと、第１Ｎ逓倍部１０８と、を有する。第１Ｍ分周部１０６は、ｎ個の位相比較部１０３−１〜１０３−ｎの前段に配置され、多重回線信号送信クロックＲＥＦＣＬＫの周波数を１／Ｍにしてｎ個の位相比較部１０３−１〜１０３−ｎに出力する。なお、ＭおよびＮは、２以上の整数である。
【００６３】
第２Ｍ分周部１０７−ｉは、対応するＣＤＲ部１０１−ｉと位相比較部１０３−ｉとの間に配置され、ＣＤＲ部１０１−ｉから抽出された個別回線抽出クロックＬＣＬＫｉの周波数を１／Ｍにして位相比較部１０３−ｉに出力する。これにより、位相比較部１０３−ｉは、Ｍ分周された多重回線信号送信クロックＲＥＦＣＬＫとＭ分周された個別回線抽出クロックＬＣＬＫｉとの位相を比較することになる。
【００６４】
第１Ｎ逓倍部１０８は、ｎ個の第１変換部１０４−１〜１０４−ｎの前段に配置され、多重回線信号送信クロックＲＥＦＣＬＫの周波数をＮ逓倍してｎ個の第１変換部１０４−１〜１０４−ｎに出力する。したがって、第１変換部１０４−ｉは、サンプリングクロックＡＤＣＬＫではなく、Ｎ逓倍された多重回線信号送信クロックＲＥＦＣＬＫを用いて、位相比較部１０３−ｉからの位相差パルスＰｉのパルス幅を位相差デジタル情報２０−ｉに変換して、埋込部１０５に出力する。すなわち、第１変換部１０４−ｉは、位相差パルスＰｉのパルス幅を、Ｎ逓倍された多重回線信号送信クロックＲＥＦＣＬＫを用いて、位相差パルスＰｉのパルス幅期間、立ち上がりエッジ、または立下りエッジのいずれかでカウントし、そのカウント値を位相差デジタル情報２０−ｉとして出力する。
【００６５】
分離受信装置２００は、第２Ｎ逓倍部２０６と、第３Ｍ分周部２０７と、ｎ個のＭ逓倍部２０８−１〜２０８−ｎと、を有する。第２Ｎ逓倍部２０６は、ｎ個の第２変換部２０３−１〜２０３−ｎの前段に配置され、多重データＣＤＲ部２０１からの多重回線抽出クロックＴＤＭＬＣＬＫの周波数をＮ逓倍してｎ個の第２変換部２０３−１〜２０３−ｎに出力する。これにより、第２変換部２０３−ｉは、Ｎ逓倍された多重回線抽出クロックＴＤＭＬＣＬＫを参照して、位相差デジタル情報２０−ｉを位相差パルスＱｉに変換する。
【００６６】
第３Ｍ分周部２０７は、ｎ個の位相調整部２０４−１〜２０４−ｎの前段に配置され、多重データＣＤＲ部２０１からの多重回線抽出クロックＴＤＭＬＣＬＫの周波数をＭ分周してｎ個の位相調整部２０４−１〜２０４−ｎに出力する。これにより、位相調整部２０４−ｉは、第２変換部２０３−ｉからの位相差パルスＱｉにより、Ｍ分周された多重回線抽出クロックＴＤＭＬＣＬＫの位相を調整し、再生個別回線抽出クロックＲＣＬＫｉを生成する。
【００６７】
Ｍ逓倍部２０８−ｉは、位相調整部２０４−ｉからの再生個別回線抽出クロックＲＣＬＫｉの周波数をＭ逓倍して、時分割分離化処理部２０５に出力する。これにより、時分割分離化処理部２０５は、分離部２０２からの多重データｍｄの中のデータｄｉを、Ｍ逓倍された再生個別回線抽出クロックＲＣＬＫｉに乗せ換えて、宛先ネットワークＤＮＷｉに送信する。
【００６８】
図１１は、実施例２にかかる多重送信装置１００内のクロック選択部を示す説明図である。クロック選択部１０９は、実施例２および後述する実施例４にかかる多重送信装置１００に適用することができる。クロック選択部１０９は、ｎ個のＣＤＲ部１０１−１〜１０１−ｎからの個別回線抽出クロックＬＣＬＫ１〜ＬＣＬＫｎを入力し、いずれかの個別回線抽出クロックＬＣＬＫｉを選択する。具体的には、たとえば、クロック選択部１０９は、個別回線抽出クロックＬＣＬＫ１〜ＬＣＬＫｎのうち、クロック周波数が最大の個別回線抽出クロックＬＣＬＫｉを選択する。
【００６９】
なお、ここでの最大クロック周波数となるクロック選択は、例えば、個別回線抽出クロックＬＣＬＫ１〜ＬＣＬＫｎのうち、２クロックずつクロック周波数を周波数カウンタで比較し、より高いクロックを選別し、選別されたクロックの内、２クロックずつクロック周波数をさらに比較し、より高いクロックを選択していく事を繰り返すことで、最大周波数となるクロックを選択することとしてもよい。選択された個別回線抽出クロックＬＣＬＫｉが多重回線信号送信クロックＲＥＦＣＬＫとして出力される。
【００７０】
＜多重伝送システム１におけるクロック伝送のタイミングチャート＞
図１２は、実施例２にかかる多重伝送システム１におけるクロック伝送を示すタイミングチャートである。図１２において、上段が多重送信装置１００におけるタイミングチャートであり、下段が分離受信装置２００におけるタイミングチャートである。
【００７１】
図１２の上段において、位相比較部１０３−ｉは、Ｍ分周された多重回線信号送信クロックＲＥＦＣＬＫとＭ分周された個別回線抽出クロックＬＣＬＫｉとの位相差を位相差パルスとして第１変換部１０４−ｉに出力する。具体的には、たとえば、位相比較部１０３−ｉは、Ｍ分周された多重回線信号送信クロックＲＥＦＣＬＫとＭ分周された個別回線抽出クロックＬＣＬＫｉとの排他的論理和をとることで、位相差パルスＰｉを第１変換部１０４−ｉに出力する。
【００７２】
図４の下段において、位相調整部２０４−ｉは、第２変換部２０３−ｉからの位相差パルスＱｉにより、Ｍ分周された多重回線抽出クロックＴＤＭＬＣＬＫの位相を調整する。具体的には、たとえば、位相調整部２０４−ｉは、Ｍ分周された多重回線抽出クロックＴＤＭＬＣＬＫと第２変換部２０３−ｉからの位相差パルスＱｉとの排他的論理和をとることにより、再生個別回線抽出クロックＲＣＬＫｉを生成する。
【００７３】
実施例２では、当該個別回線毎のクロック伝送において生じる量子化誤差による、時分割多重前の各個別回線信号ｓ１〜ｓｎと時分割分離後の各個別回線信号ｓ１〜ｓｎとのクロック周波数誤差βが、外部要因に依存すること無く任意の誤差量に低減される。以下、その方法について説明する。
【００７４】
上記式（４）にて導出したクロック周波数誤差βは、サンプリングクロック周期Ｔａｄｃｌｋと個別回線抽出クロックＬＣＬＫ１〜ＬＣＬＫｎのうち最大クロック周波数となる個別回線抽出クロックの周期Ｔｌｃｋ＿ｍａｘに依存する。実施例２では、サンプリングクロックＡＤＣＬＫとして、多重回線信号送信クロックＲＥＦＣＬＫのＮ逓倍クロックが用いられる。ｆｒｅｆｃｌｋを多重回線信号送信クロックＲＥＦＣＬＫの周波数とすると、サンプリングクロック周期Ｔａｄｃｌｋは、下記式（５）により表現される。
【００７５】
【数５】
2016039396.tif 000007
【００７６】
また、上記式（４）の右辺の周期Ｔｌｃｋ＿ｍａｘが、実施例２では、第２Ｍ分周部１０７−ｉにより、Ｍ分周された個別回線抽出クロックＬＣＬＫｉの周期である。したがって、ｆｌｃｋ＿ｍａｘを個別回線抽出クロックＬＣＬＫ１〜ＬＣＬＫｎのうち最大周波数となる個別回線抽出クロックの周波数とすると、周期Ｔｌｃｋ＿ｍａｘは下記式（６）により表現される。
【００７７】
【数６】
2016039396.tif 000008
【００７８】
式（５）および式（６）より、クロック周波数誤差βは、下記式（７）により導出される。
【００７９】
【数７】
2016039396.tif 000009
【００８０】
式（７）を変形すると、下記式（８）になる。
【００８１】
【数８】
2016039396.tif 000010
【００８２】
最終的に、式（８）から下記式（９）が導出される。
【００８３】
【数９】
2016039396.tif 000011
【００８４】
なお、上述の通り、多重回線信号送信クロックＲＥＦＣＬＫは、クロック選択部１０９にて、個別回線抽出クロックＬＣＬＫ１〜ＬＣＬＫｎのうち最大周波数となる個別回線抽出クロックが選択される（ｆｒｅｆｃｌｋ＝ｆｌｃｋ＿ｍａｘ）。したがって、式（９）のクロック周波数誤差βは、下記式（１０）で表現される。
【００８５】
【数１０】
2016039396.tif 000012
【００８６】
式（１０）では、式（４）で示す多重伝送システム１の外部要因である個別回線抽出クロックの周期Ｔｌｃｋ＿ｍａｘが排除され、分周比Ｍ、逓倍比Ｎにより、クロック周波数誤差βを一意に決定づけることができる。分周比Ｍおよび逓倍比Ｎは、任意に設定可能である。これにより、クロック周波数誤差βを、外部要因に依存すること無く任意の誤差量に制御することができる。また、分周比Ｍおよび逓倍比Ｎの乗算値を大きくするほど、クロック周波数誤差βがより低減される。
【実施例３】
【００８７】
実施例３は、実施例１において、回線をグループ化した例である。実施例１では、回線単位で多重化および分離化する例について説明したが、実施例３では、グループ単位で多重化および分離化する。なお、実施例１と同一内容については同一符号を付し、その説明を省略する。
【００８８】
図１３および図１４は、実施例３にかかる多重伝送システム１のシステム構成例を示す説明図である。多重送信装置１００では、個別回線信号ｓ１〜ｓｎが複数のグループＧ１〜Ｇｍ（ｍは２以上の整数で、２≦ｍ＜ｎ）に分割される。たとえば、個別回線信号ｓ１〜ｓａ（ａは２以上の整数）の回線がグループＧ１、…、個別回線信号ｓｂ〜ｓｃ（ｂ，ｃは３以上の整数）の回線がグループＧｊ（ｊは２以上の整数で、１＜ｊ≦ｍ）、…、個別回線信号ｓｄ〜ｓｎ（ｄは４以上の整数）の回線がグループＧｍに所属する。
【００８９】
同一グループＧｊ内の個別回線信号の個別回線抽出クロックは同一クロックである。たとえば、グループＧｊの個別回線信号ｓｂ〜ｓｃの個別抽出クロックは、ＬＣＬＫＧｊとなる。
【００９０】
また、実施例１では、位相比較部１０３−ｉ、第１変換部１０４−ｉ、第２変換部２０３−ｉ、位相調整部２０４−ｉは回線数ｎ分用いられたが、実施例３では、回線数ｎではなく、グループ総数ｍとなるため、ｍ個の位相比較部１０３−１〜１０３−ｍ、第１変換部１０４−１〜１０４−ｍ、第２変換部２０３−１〜２０３−ｍ、位相調整部２０４−１〜２０４−ｍが用いられる。図１４では、位相比較部１０３−ｊに入力される個別抽出クロックを、個別抽出クロックＬＣＬＫＧｊとする。また、位相調整部２０４−ｊから出力される再生個別回線抽出クロックを、再生個別回線抽出クロックＲＣＬＫＧｊとする。
【００９１】
実施例３によれば、実施例１のｎ個の回線が、ｍ個のグループにまとめられる。これにより、多重送信装置１００による時分割多重前の各個別回線信号ｓ１〜ｓｎと、分離受信装置２００による時分割分離後の各個別回線信号ｓ１〜ｓｎと間のクロック伝送を、グループＧｊ毎に独立して実現することができる。また、ｎ＞ｍであるため、当該回線ｎ毎に独立してクロック伝送を実現するために必要となる論理回路の規模の低減を図ることができる。
【実施例４】
【００９２】
実施例４は、実施例２において、回線をグループ化した例である。実施例２では、回線単位で多重化および分離化する例について説明したが、実施例４では、グループ単位で多重化および分離化する。なお、実施例２と同一内容については同一符号を付し、その説明を省略する。
【００９３】
図１３および図１５は、実施例４にかかる多重伝送システム１のシステム構成例を示す説明図である。多重送信装置１００では、個別回線信号ｓ１〜ｓｎが複数のグループＧ１〜Ｇｍ（ｍは２以上の整数で、２≦ｍ＜ｎ）に分割される。たとえば、個別回線信号ｓ１〜ｓａ（ａは２以上の整数）の回線がグループＧ１、…、個別回線信号ｓｂ〜ｓｃ（ｂ，ｃは３以上の整数）の回線がグループＧｊ（ｊは２以上の整数で、１＜ｊ≦ｍ）、…、個別回線信号ｓｄ〜ｓｎ（ｄは４以上の整数）の回線がグループＧｍに所属する。
【００９４】
同一グループＧｊ内の個別回線信号の個別回線抽出クロックは同一クロックである。たとえば、グループＧｊの個別回線信号ｓｂ〜ｓｃの個別抽出クロックは、ＬＣＬＫＧｊとなる。
【００９５】
また、実施例２では、位相比較部１０３−ｉ、第１変換部１０４−ｉ、第２Ｍ分周部１０７−ｉ、第２変換部２０３−ｉ、位相調整部２０４−ｉ、Ｍ逓倍部２０８−ｉは回線数ｎ分用いられたが、実施例４では、回線数ｎではなく、グループ総数ｍとなるため、ｍ個の位相比較部１０３−１〜１０３−ｍ、第１変換部１０４−１〜１０４−ｍ、第２Ｍ分周部１０７−１〜１０７−ｍ、第２変換部２０３−１〜２０３−ｍ、位相調整部２０４−１〜２０４−ｍ、Ｍ逓倍部２０８−１〜２０８−ｍが用いられる。図１４では、位相比較部１０３−ｊに入力される個別抽出クロックを、個別抽出クロックＬＣＬＫＧｊとする。また、Ｍ逓倍部２０８−ｊから出力される再生個別回線抽出クロックを、再生個別回線抽出クロックＲＣＬＫＧｊとする。
【００９６】
実施例４によれば、実施例２のｎ個の回線が、ｍ個のグループにまとめられる。これにより、多重送信装置１００による時分割多重前の各個別回線信号ｓ１〜ｓｎと、分離受信装置２００による時分割分離後の各個別回線信号ｓ１〜ｓｎと間のクロック伝送を、グループＧｊ毎に独立して実現することができる。また、ｎ＞ｍであるため、当該回線ｎ毎に独立してクロック伝送を実現するために必要となる論理回路の規模の低減を図ることができる。また、実施例２と同様、クロック周波数誤差βを、外部要因に依存すること無く任意の誤差量に制御することができる。
【００９７】
また、クロック周波数誤差βを許容できるデータ伝送については、実施例１または実施例３の多重伝送システム１を採用すればよい。また、クロック周波数誤差βを低減したい場合には、実施例２または実施例４のデータ伝送システム１を採用し、ＭおよびＮを適宜調整して、クロック周波数誤差βを許容範囲内に収めればよい。
【００９８】
なお、本発明は前述した実施例に限定されるものではなく、添付した特許請求の範囲の趣旨内における様々な変形例及び同等の構成が含まれる。例えば、前述した実施例は本発明を分かりやすく説明するために詳細に説明したものであり、必ずしも説明した全ての構成を備えるものに本発明は限定されない。また、ある実施例の構成の一部を他の実施例の構成に置き換えてもよい。また、ある実施例の構成に他の実施例の構成を加えてもよい。また、各実施例の構成の一部について、他の構成の追加・削除・置換をしてもよい。
【００９９】
また、前述した各構成、機能、処理部、処理手段等は、それらの一部又は全部を、例えば集積回路で設計する等により、ハードウェアで実現してもよく、プロセッサがそれぞれの機能を実現するプログラムを解釈し実行することにより、ソフトウェアで実現してもよい。
【０１００】
各機能を実現するプログラム、テーブル、ファイル等の情報は、メモリ、ハードディスク、ＳＳＤ（Ｓｏｌｉｄ  Ｓｔａｔｅ  Ｄｒｉｖｅ）等の記憶装置、又は、ＩＣカード、ＳＤカード、ＤＶＤ等の記録媒体に格納することができる。
【０１０１】
また、制御線や情報線は説明上必要と考えられるものを示しており、実装上必要な全ての制御線や情報線を示しているとは限らない。実際には、ほとんど全ての構成が相互に接続されていると考えてよい。
【符号の説明】
【０１０２】
１  多重伝送システム
２０  クロック情報
１００  多重送信装置
１０１−ｉ  ＣＤＲ部
１０２  時分割多重化処理部
１０３−ｉ  位相比較部
１０４−ｉ  第１変換部
１０５  埋込部
１０６  第１Ｍ分周部
１０７  第２Ｍ分周部
１０８  第１Ｎ逓倍部
１０９クロック選択部
２００  分離受信装置
２０１  多重データＣＤＲ部
２０２  分離部
２０３−ｉ  第２変換部
２０４−ｉ  位相調整部
２０５  時分割分離化処理部
２０６  第２Ｎ逓倍部
２０７  第３Ｍ分周部
２０８  Ｍ逓倍部
【図１】
2016039396.tif 000013
【図２】
2016039396.tif 000014
【図３】
2016039396.tif 000015
【図４】
2016039396.tif 000016
【図５】
2016039396.tif 000017
【図６】
2016039396.tif 000018
【図７】
2016039396.tif 000019
【図８】
2016039396.tif 000020
【図９】
2016039396.tif 000021
【図１０】
2016039396.tif 000022
【図１１】
2016039396.tif 000023
【図１２】
2016039396.tif 000024
【図１３】
2016039396.tif 000025
【図１４】
2016039396.tif 000026
【図１５】
2016039396.tif 000027